(57)【特許請求の範囲】
【請求項１】
周囲が外枠で覆われており、その外枠の内側に、金属製のミドル枠が設置されているとともに、そのミドル枠に、合成樹脂製の複数の遊技球通路部材が設置されたパチンコ機であって、
前記遊技球通路部材の内の少なくとも一つが、帯電防止剤および／または導電性材料を含んだ合成樹脂によって、係合突起を前面に突出させた形状に形成されたものであり、前記係合突起を前記ミドル枠に接触させた状態で、ミドル枠に設置されていることを特徴とするパチンコ機。
【請求項２】
係合突起の周囲が、導電性の金属薄膜によって覆われており、その金属薄膜を介して、係合突起がミドル枠と接触していることを特徴とする請求項１に記載のパチンコ機。
【請求項３】
係合突起が、先端に、接触するミドル枠に対して傾斜した平坦面を設けたものであることを特徴とする請求項１、または請求項２に記載のパチンコ機。
【発明の詳細な説明】
【０００１】
【発明の属する技術分野】
本発明は、パチンコ機に関するものである。
【０００２】
【従来の技術】
パチンコ機は、軽量で腐食しにくい合成樹脂によって、多くの部材が形成される。しかしながら、合成樹脂は、誘電率が低く静電気が溜まり易い性質を有しているため、滞留した静電気に起因して、合成樹脂製の遊技部材と隣接した作動内容を制御する制御装置が誤作動を起こすおそれがある。それゆえ、従来のパチンコ機の中には、静電気の滞留を防止するために、静電気の溜まり易い遊技球タンク、遊技球通路体、下皿等の各種の遊技部材を、帯電防止剤や導電性材料を含有した合成樹脂によって形成し、それらの遊技部材からアース線を引き出し、機台外部の金属に放電するように構成したものがある。
【０００３】
【発明が解決しようとする課題】
しかしながら、上記の如く所定の遊技部材にアース線を設けたパチンコ機は、遊技部材に溜まった静電気を十分に放電除去することができず、制御装置が誤作動してしまうことがあり、遊技球の通路となっている遊技部材においては、特に、その傾向が著しかった。
【０００４】
本発明の目的は、上記従来のパチンコ機が有する課題を解消し、遊技球通路部材に静電気が溜まりにくく、遊技球通路部材に溜まった静電気に起因した制御装置の誤作動が生じないパチンコ機を提供することにある。
【０００５】
【課題を解決するための手段】
かかる本発明のうち、請求項１に記載された発明の構成は、周囲が外枠で覆われており、その外枠の内側に、金属製のミドル枠が設置されているとともに、そのミドル枠に、合成樹脂製の複数の遊技球通路部材が設置されたパチンコ機であって、前記遊技球通路部材の内の少なくとも一つが、帯電防止剤および／または導電性材料を含んだ合成樹脂によって、係合突起を前面に突出させた形状に形成されたものであり、前記係合突起を前記ミドル枠に接触させた状態で、ミドル枠の後側に設置されていることにある。請求項２に記載された発明の構成は、請求項１に記載された発明において、係合突起の周囲が、導電性の金属薄膜によって覆われており、その金属薄膜を介して、係合突起がミドル枠と接触していることにある。請求項３に記載された発明の構成は、請求項１、または請求項２に記載の発明において、係合突起が、先端に、接触するミドル枠に対して傾斜した平坦面を設けたものであることにある。なお、遊技球通路部材とは、遊技球タンク、遊技球通路体、遊技球払出装置等の遊技球を通過させる構造を有するすべての遊技部材のことを言う。
【０００６】
本発明の帯電防止剤としては、陽イオン性界面活性剤、陰イオン性界面活性剤、非イオン性界面活性剤、両性界面活性剤等の種々の界面活性剤等の帯電防止剤を用いることができる。一方、導電性材料としては、カーボンブラック、炭素繊維、フェライト、各種の金属等の導電性材料を用いることができる。また、帯電防止剤や導電性材料を含有させる樹脂としては、ポリカーボネート、ＡＢＳ樹脂、ポリフェニレンオキサイド、ポリエステル、アクリル樹脂、ポリオレフィン、ゴム、およびそれらの変性物等を用いることができ、特に限定されない。なお、カーボンブラックを充填したポリカーボネート、フェライトを含有したＡＢＳ樹脂、炭素繊維を充填したＡＢＳ樹脂は、高い導電性を有しており、かつ衝撃強度にも優れているので、導電性材料を含んだ合成樹脂として好適に用いることができる。
【０００７】
また、係合突起の周囲を、導電性の金属薄膜によって覆う方法としては、導電性粘着剤によって金属薄膜を接着する方法を採用することができる。なお、導電性粘着剤とは、上記した導電性材料を充填した粘着剤のことをいい、その粘着剤としては、ポリイソブチレン、天然ゴム、アクリル樹脂等の樹脂に、ロジン、クマロン樹脂等の粘着性付与剤、あるいはフタル酸エステル、ヒマシ油等の可塑剤を加えたもの等の市販の粘着剤を好適に用いることができる。また、導電性粘着剤によって係合突起の周囲を金属薄膜で覆う場合に、予め銅箔に粘着剤および剥離紙を積層させたテープ状物（たとえば、大日本インキ化学工業（株）製のシールド用粘着製品Ｅ−２１００ＡＣＤ，Ｅ−１１００ＣＤ，Ｅ−２１００ＣＤ）を使用し、そのテープ状物の剥離紙を剥がして係合突起に接着することも可能である。そのようにテープ状物を使用した場合には、係合突起への銅箔の接着が容易となる上、金属薄膜が係合突起から外れにくい、というメリットがある。
【０００８】
【発明の実施の形態】
以下、本発明のパチンコ機の一実施形態について、図面に基づいて詳細に説明する。
【０００９】
図１、図２は、それぞれ、パチンコ機の斜視図、背面図である。パチンコ機１は、周囲が外枠２によって覆われており、その外枠２の内側には、金属製のミドル枠３が設置されている。ミドル枠３の前面には、木製の遊技盤４が嵌め込み設置されている。また、ミドル枠３の後方には、帯電防止剤（カチオン性界面活性剤）を含有したＡＢＳ樹脂によって形成された上側部材２６および下側部材２７からなる機構板５が設置されている。図２は、ミドル枠３および分解した機構板を示したものであり、機構板５には、遊技球タンク６、遊技球通路体７、遊技球払出装置８等の遊技球通路部材が設置されている。なお、機構板５の中央よりやや下側には、パチンコ機１の作動内容を制御する制御装置９が設置されている。
【００１０】
図３は、機構板５の上側部材２６を示したものであり、上側部材２６は、上端際から下端際にかけて、２つの平行な壁体１０ａ，１０ｂが立設されている。そして、それらの壁部材１０ａ，１０ｂによって、凹状嵌合部１１が形成されており、その凹状嵌合部１１の底板１２には、４つの挿通孔１３，１３・・が穿設されている。また、片側の壁部材１０ａには、２つの弾性係止片１４，１４が設けられており、各弾性係止片１４，１４の先端には、係止突起１５が設けられている。
【００１１】
一方、図４〜図７は、遊技球通路体７を示したものであり、遊技球通路体７は、導電性材料であるフェライトを含有したＡＢＳ樹脂によって略直方体状に一体成形されており、左右両側面には、それぞれ遊技球通路１６，１６が刻設されている。また、後面の略中央には、鉛直方向に長尺な摘み１７が突設されている。さらに、遊技球通路体７の前面の上端際および下端際には、それぞれ、係合突起１８ａ，１８ａが突設されている。各係合突起１８ａ，１８ａは、鉛直方向に長尺な板状の軸部１９が、遊技球通路体７の前面に対して垂直に突出しており、その軸部１９の先端に、軸部１９と約８０度の角度をなすように、当接板２０が延設されている。また、各係合突起１８，１８の周囲には、図８の如く、導電性粘着剤２１によって銅箔２２が接着されており、当接板２０の前面の平坦面２３が銅箔２２によって覆われた状態になっている。
【００１２】
図９、図１０は、遊技球通路体７を嵌合設置した上側部材２６をミドル枠３に設置した状態を示したものであり、上側部材２６は、底板１２がミドル枠３の表面と平行になるように、ミドル枠３に設置されている（図１０参照）。また、遊技球通路体７は、前面の上下の係合突起１８ａ，１８ａを上側部材２６の挿通孔１３，１３から突出させた状態で、上側部材２６の凹状嵌合部１１に押し込み設置されており、係合突起１８ａ，１８ａの弾性によって、各係合突起１８ａ，１８ａの当接板２０の平坦面２３が、ミドル枠３の表面と当接した状態になっている。なお、遊技球通路体７が上側部材２６の凹状嵌合部１１に押し込み設置された場合には、上側部材２６の各弾性係止片１４，１４の係止突起１５，１５によって、遊技球通路体７の後面が係止され、遊技球通路体７が凹状嵌合部１１内で保持される。
【００１３】
一方、遊技球払出装置８は、導球部２４および作動部２５のケース２９等が導電性材料であるフェライトを含有したＡＢＳ樹脂によって形成されており、それらの導球部２４およびケース２９の前面にも、遊技球通路体７と同様な係合突起１８ａ，１８ａが設けられている。そして、それらの導球部２４およびケース２９は、遊技球通路体７と同様に、前面の係合突起１８ａ，１８ａを上側部材２６の挿通孔１３，１３から突出させた状態で、上側部材２６の凹状嵌合部１１に押し込み設置されており、係合突起１８ａ，１８ａの弾性によって、各係合突起１８ａ，１８ａの当接板２０の平坦面２３が、ミドル枠３の表面と当接した状態になっている。
【００１４】
かかるパチンコ機１においては、遊技球タンク４から流下した遊技球が、上側部材２６に設置された遊技球通路体７の内部を流下して、遊技球払出装置８の内部まで流下する。そして、遊技盤４の前面に設置された入賞装置（図示せず）に遊技球が入賞した場合には、遊技球払出装置８内まで流下した遊技球が、その入賞に相当する個数だけ計数された後に、賞品球として払い出される。
【００１５】
パチンコ機１は、上記の如く、遊技球通路体７、および遊技球払出装置８の導球部２４、およびケース２９が、フェライトを含有したＡＢＳ樹脂によって、係合突起１８ａ，１８ａを前面に突出させた形状に形成されたものであり、係合突起１８ａ，１８ａをミドル枠３に接触させた状態で、ミドル枠３に設置されているため、遊技球通路体７、遊技球払出装置８の導球部２４、ケース２９から金属製のミドル枠３に静電気が流れ、機台外部まで流れるので、遊技球通路体７や遊技球払出装置８に溜まった静電気に起因したトラブルが発生しにくい。
【００１６】
また、パチンコ機１は、係合突起１８ａ，１８ａの周囲に、導電性粘着剤によって銅箔２２が接着されており、その銅箔２２を介して、係合突起１８ａ，１８ａが金属製のミドル枠３と接触しているため、遊技球通路体７、遊技球払出装置８の導球部２４、ケース２９からミドル枠３に静電気が効率良く流れるので、静電気の滞留を防止する性能（以下、静電気滞留防止性能という）が良好であり、滞留した静電気に起因した制御装置９の誤作動が発生しない。
【００１７】
さらに、パチンコ機１は、係合突起１８ａ，１８ａが、先端に、接触するミドル枠３に対して傾斜した平坦面２３を設けたものであり、係合突起１８ａ，１８ａが広い面積でミドル枠３と接触しているため、遊技球通路体７、遊技球払出装置８の導球部２４、ケース２９から金属製のミドル枠３に静電気が非常に効率良く流れるので、静電気滞留防止性能が一段と良好なものとなっている。
【００１８】
加えて、パチンコ機１は、上側部材２６に弾性係止片１４，１４が設けられており、係合突起１８ａ，１８ａがミドル枠３に当接した状態を保つように、遊技球通路体７が凹状嵌合部１１内で保持されるため、衝撃を受けた場合でも係合突起１８ａ，１８ａとミドル枠３との接触状態が解除されず、恒久的に良好な静電気滞留防止性能を発揮することができる。
【００１９】
なお、本発明のパチンコ機の構成は、上記実施形態の態様に何ら限定されるものではなく、外枠、ミドル枠、遊技盤、機構板、遊技球タンク、遊技球通路体、遊技球払出装置、制御装置等の形状・構造等の構成を必要に応じて適宜変更することができる。
【００２０】
たとえば、パチンコ機は、帯電防止加工を施した遊技球通路部材（帯電防止剤、導電性材料を含んだ合成樹脂によって係合突起を前面に突出させた形状に形成し、ミドル枠と接触させた遊技球通路部材）が遊技球通路体や遊技球払出装置（導球部、および作動部のケース等）であるものに限定されず、遊技球タンク等の他の遊技球通路部材に帯電防止加工を施したものでも良い。また、遊技球通路部材の帯電防止加工は、導電性材料を含んだ合成樹脂によって係合突起を前面に突出させた形状に形成し、ミドル枠と接触させる方法に限定されず、帯電防止剤を含んだ合成樹脂によって係合突起を前面に突出させた形状に形成し、ミドル枠と接触させる方法でも良いし、帯電防止剤および導電性材料を含んだ合成樹脂によって係合突起を前面に突出させた形状に形成し、ミドル枠と接触させる方法でも良い。
【００２１】
一方、係合突起を金属薄膜で覆う方法は、導電性粘着剤によって金属薄膜を接着する方法に限定されず、図１１の如く、係合突起１８ｂ，１８ｂにスリット２８を設け、そのスリット２８に金属薄膜２２を挟持させる方法等でも良い。
【００２２】
さらに、係合突起の周囲を覆う金属薄膜は、銅箔に限定されず、薄い鉄板や銀箔等の他の金属薄膜でも良い。なお、銅箔は導電性が良好であるので、銅箔を用いた場合には、パチンコ機の帯電防止性能がきわめて良好なものとなる、というメリットがある。
【００２３】
また、係合突起の形状も、上記実施形態の如く、断面Ｌ字状に限定されず、柱状の軸部の先端に円盤状の当接板を連設した形状等でも良い。加えて、当接板の傾斜角度も、上記実施形態の如く、ミドル枠の表面に対して約１０度の傾斜角度に限定されず、係合突起の弾性が大きい場合には、大きな傾斜角度にすることも可能である。
【００２４】
加えて、ミドル枠は、全体が金属によって形成されたものに限定されず、一部が合成樹脂等によって形成されたものでも良い。なお、一部を合成樹脂等によって形成したミドル枠を用いる場合には、帯電防止加工を施した遊技部材を、ミドル枠の金属部分と接触させる必要がある。
【００２５】
【発明の効果】
請求項１に記載されたパチンコ機は、遊技球通路部材の内の少なくとも一つが、帯電防止剤および／または導電性材料を含んだ合成樹脂によって、前面に係合突起を突出させた形状に形成されたものであり、係合突起をミドル枠に接触させた状態で、ミドル枠の後側に設置されているため、遊技球通路部材から金属製のミドル枠に静電気が流れ、機台外部まで流れるので、遊技球通路部材に滞留した静電気に起因したトラブルが発生しにくい。
【００２６】
請求項２に記載されたパチンコ機は、係合突起の周囲が、導電性の金属薄膜によって覆われており、その金属薄膜を介して、係合突起がミドル枠と接触しているため、遊技球通路部材から金属製のミドル枠に静電気が効率良く流れるので、静電気滞留防止性能が良好であり、滞留した静電気に起因した制御装置の誤作動が発生しない。
【００２７】
請求項３に記載されたパチンコ機は、弾性係合突起が、先端に傾斜状の平坦面を設けたものであり、係合突起が広い面積で金属製のミドル枠と接触しているため、遊技球通路部材からミドル枠に静電気が非常に効率良く流れるので、静電気滞留防止性能が一段と良好である。
【図面の簡単な説明】
【図１】パチンコ機の背面を示す説明図である。
【図２】ミドル枠、および分解した機構板を示す説明図である。
【図３】上側部材を示す説明図である。
【図４】遊技球通路体を示す説明図である（（ａ）は前方斜視図であり、（ｂ）は、右側面図である）。
【図５】遊技球通路体の断面（図４（ｂ）におけるＡ−Ａ線断面）を示す説明図である。
【図６】遊技球通路体（銅箔を取り外した状態）を示す説明図である。
【図７】遊技球通路体の断面（銅箔を取り外した状態の断面）を示す説明図である。
【図８】係合突起の断面を示す説明図である。
【図９】遊技球通路体、および遊技球払出装置の設置状態を示す説明図である。
【図１０】遊技球通路体の設置状態（図９におけるＢ−Ｂ線断面）を示す説明図である。
【図１１】遊技球通路体の変更例を示す説明図である（（ａ）は金属薄膜で係合突起を覆った状態であり、（ｂ）は、金属薄膜を取り外した状態である）。
【符号の説明】
１・・パチンコ機、２・・外枠、３・・ミドル枠、４・・遊技盤、５・・機構板、６・・遊技球タンク、７・・遊技球通路部材、８・・遊技球払出装置、９・・制御装置、１０ａ，１０ｂ・・壁体、１１・・凹状嵌合部、１２・・底板、１３・・挿通孔、１４・・弾性係止片、１５・・係止突起、１６・・遊技球通路、１７・・摘み、１８ａ，１８ｂ・・係合突起、１９・・軸部、２０・・当接板、２１・・導電性粘着剤、２２・・銅箔、２３・・平坦面、２４・・導球部、２５・・作動部、２６・・上側部材、２７・・下側部材、２８・・スリット、２９・・ケース。
【図１】
0004032629.tif 000002
【図２】
0004032629.tif 000003
【図３】
0004032629.tif 000004
【図４】
0004032629.tif 000005
【図５】
0004032629.tif 000006
【図６】
0004032629.tif 000007
【図７】
0004032629.tif 000008
【図８】
0004032629.tif 000009
【図９】
0004032629.tif 000010
【図１０】
0004032629.tif 000011
【図１１】
0004032629.tif 000012